(57)【特許請求の範囲】
【請求項１】
アンダーカバー、本体、および当該本体の上面に取り付けられるアッパーカバー、を有する電気接続箱の端子取付け構造であって、
前記本体の上面に形成された、前記本体の直交する外側壁の面に対して傾斜する溝部と、
前記溝部の中央に位置し、且つ前記本体の上面に配設されたヒュージブルリンク収容空間と、
前記溝部に立設され、前記本体の上面から突出し、且つ前記ヒュージブルリンク収容空間を囲む周壁と、
ボルトによりヒュージブルリンクの電気接触部と直角曲げ螺合端子の電気接触部とを接続するために設けられた、前記本体の直交する外側壁に形成され、且つ前記ヒュージブルリンク収容空間へ連通するボルト締め用開口部と、
前記アンダーカバーを前記本体に取り付けた時、前記ボルト締め用開口部を塞ぐために前記アンダーカバーに設けられた一対の塞ぎ壁と、
を備え、
前記ボルト締め用開口部に連通するとともに、前記周壁を越えて前記ヒュージブルリンク収容空間の内側へ拡がる端子挿入孔を前記周壁の外側の前記溝部の底面に穿設し、
前記端子挿入孔における前記周壁の下端にクランク状に屈曲した段部を形成し、
そして電線に接続された前記直角曲げ螺合端子の電気接触部を前記端子挿入孔に挿入したこと、
を特徴とする電気接続箱の端子取付け構造。
【発明の詳細な説明】
【０００１】
【発明の属する技術分野】
本発明は、端子螺合型のヒュージブルリンク等を収容する電気接続箱の端子取付け構造に関するものである。
【０００２】
【従来の技術】
ヒュージブルリンクは、定格電流により形式が異なり、３０〜５０Ａと低い電流特性でよいものには端子嵌合型のものが使用されるが、６０〜１００Ａと高い電流特性が要求されるものには、図３に示すように電気接触部１にボルト孔３を穿設した螺合型ヒュージブルリンク５が使用される。
【０００３】
この種の螺合型ヒュージブルリンク５を収容する電気接続箱には、例えば図４に示すものがある。この電気接続箱９は、本体１１の上面にヒュージブルリンク収容部１３を形成してあり、ヒュージブルリンク収容部１３に収容した螺合型ヒュージブルリンク５の電気接触部１が露出する凹部１５を側面に形成してある。また、電気接触部１と本体１１との間には、ボルト孔３に中心が一致するナット１７を配設してある。この電気接続箱９では、外部電源端子である丸形端子２３を螺合型ヒュージブルリンク５のボルト孔３に一致させた後、ボルト２５をナット１７に螺合することで、丸形端子２３を電気接触部１に取り付けていた。
【０００４】
ところが、この電気接続箱９では、一方の電気接触部１は本体１１の外側からボルト３を螺合できるが、他方の電気接触部１は本体１１の内側からボルト２５の螺合を行わなければならず、作業性の悪い問題があった。
このようなボルト挿通方向に起因する作業性の低下を解消するものとして、例えば図５に示す電気接続箱の端子取付け構造が提案された。この電気接続箱３１は、本体３３の直交する外壁３３ａ、３３ｂの隅部を切欠き、この外壁３３ａ、３３ｂの面に対して傾斜する隅部外壁３５を形成し、更にこの隅部外壁３５に直交する外壁を有する突設部３７を設け、この突設部３７に螺合型ヒュージブルリンク５のハウジング部３９を設けてある。従って、この電気接続箱３１によれば、一対の電気接触部１の両方共、本体３３の外側からボルト２５を螺合して、丸形端子２３を電気接触部１に取り付けることができた。
【０００５】
【発明が解決しようとする課題】
しかしながら、上述の電気接続箱３１は、電気接触部１に螺合する両方のボルト２５が本体１１の外側から螺合可能となり、ボルト挿通方向に起因する作業性の低下は解消できるものの、丸形端子２３を電気接触部１に取り付けるのに、本体３３から引き上げた丸形端子２３を一方の手で保持しながら、他方の手でボルト締めを行わなければならず、作業性の悪い問題があった。
本発明は上記状況に鑑みてなされたもので、螺合型ヒュージブルリンクの電気接触部に取り付ける端子を手で保持せずにボルト締めを行うことのできる電気接続箱の端子取付け構造を提供し、端子取付け作業性の向上を図ることを目的とする。
【０００６】
【課題を解決するための手段】
上記目的を達成するための本発明に係る電気接続箱の端子取付け構造は、
『アンダーカバー、本体、および当該本体の上面に取り付けられるアッパーカバー、を有する電気接続箱の端子取付け構造であって、
前記本体の上面に形成された、前記本体の直交する外側壁の面に対して傾斜する溝部と、
前記溝部の中央に位置し、且つ前記本体の上面に配設されたヒュージブルリンク収容空間と、
前記溝部に立設され、前記本体の上面から突出し、且つ前記ヒュージブルリンク収容空間を囲む周壁と、
ボルトによりヒュージブルリンクの電気接触部と直角曲げ螺合端子の電気接触部とを接続するために設けられた、前記本体の直交する外側壁に形成され、且つ前記ヒュージブルリンク収容空間へ連通するボルト締め用開口部と、
前記アンダーカバーを前記本体に取り付けた時、前記ボルト締め用開口部を塞ぐために前記アンダーカバーに設けられた一対の塞ぎ壁と、
を備え、
前記ボルト締め用開口部に連通するとともに、前記周壁を越えて前記ヒュージブルリンク収容空間の内側へ拡がる端子挿入孔を前記周壁の外側の前記溝部の底面に穿設し、
前記端子挿入孔における前記周壁の下端にクランク状に屈曲した段部を形成し、
そして電線に接続された前記直角曲げ螺合端子の電気接触部を前記端子挿入孔に挿入したこと』を特徴とするものである。
【０００７】
このように構成した電気接続箱の端子取付け構造では、直角曲げ螺合端子の接触部を端子挿入孔に挿入し、直角曲げ螺合端子全体をヒュージブルリンク収容空間側に押し込むと、直角曲げ螺合端子の接触部がヒュージブルリンクの電気接触部に当接し、同時に直角曲げ螺合端子の屈曲部が、周壁の段部に上方から当接され、直角曲げ螺合端子の上下方向の移動が規制される。これにより、直角曲げ螺合端子が手による保持なしでヒュージブルリンクの電気接触部に対して位置決めされる。
【０００８】
【発明の実施の形態】
以下、本発明に係る電気接続箱の端子取付け構造の好適な実施の形態を図面を参照して詳細に説明する。
図１は本発明に係る電気接続箱の端子取付け構造を示す分解斜視図、図２は端子を挿入した状態の図１のＡ−Ａ断面図である。
電気接続箱４１の本体４３の直交する外側壁４５、４７の隅部の上側にある該本体４３の上面には、当該外側壁４５、４７の面に対して傾斜する溝部４９が形成されている。溝部４９の中央には、ヒュージブルリンク収容空間５１が位置し、且つ本体４３の上面に配設されている。このヒュージブルリンク収容空間５１は、溝部４９に立設され且つ本体４３の上面から突出する周壁５３によって囲まれている。
【０００９】
ヒュージブルリンク収容空間５１には端子螺合型の電気接触部５５を有したヒュージブルリンク５７が装着可能となっており、ヒュージブルリンク収容空間５１に装着されたヒュージブルリンク５７は平行な一対の電気接触部５５が本体４３の内部に垂下して配置されるようになっている。
【００１０】
直交する一対の外側壁４５、４７にはヒュージブルリンク収容空間５１へ連通するボルト締め用開口部５９をそれぞれ穿設してあり、ボルト締め用開口部５９はヒュージブルリンク収容空間５１に挿入したヒュージブルリンク５７の電気接触部５５を外部へ露出する。本体４３の下部には、アンダーカバー６１が取り付けられるようになっている。アンダーカバー６１には一対の塞ぎ壁６３を突設してあり、塞ぎ壁６３はアンダーカバー６１を本体４３に取り付けた時、ボルト締め用開口部５９を塞ぐようになっている。
【００１１】
溝部４９の底面には周壁５３を挟む一対の端子挿入孔６５を穿設してあり、端子挿入孔６５はボルト締め用開口部５９に連通している。端子挿入孔６５は、図２に示すように周壁５３を越えヒュージブルリンク収容空間５１の内側へ拡げて形成してある。従って、端子挿入孔６５における周壁５３の下端は、クランク状に屈曲した段部６７となっている。
【００１２】
端子挿入孔６５には、直角曲げ螺合端子６９が挿入される。直角曲げ螺合端子６９は、ボルト孔７１の穿設された電気接触部７３が、電線保持部７５に対して直角に屈曲されている。直角曲げ螺合端子６９は、この電気接触部７３を端子挿入孔６５に挿入してヒュージブルリンク５７の電気接触部５５と接続される。
【００１３】
このように構成した電気接続箱の端子取付け構造の作用を説明する。
ヒュージブルリンク収容空間５１にヒュージブルリンク５７を挿入すると、一対の電気接触部５５が本体４３の内部に垂下し、ボルト締め用開口部５９から露出した状態となる。
【００１４】
直角曲げ螺合端子６９の電気接触部７３を端子挿入孔６５に挿入し、直角曲げ螺合端子６９全体をヒュージブルリンク収容空間５１側に押し込むと、直角曲げ螺合端子６９の電気接触部７３がヒュージブルリンク５７の電気接触部５５に当接する。この時、同時に直角曲げ螺合端子６９の屈曲部６９ａが、周壁５３の段部６７に上方から当接され、直角曲げ螺合端子６９の上下方向の移動が規制される。これにより、直角曲げ螺合端子６９は、手による保持なしでボルト孔７１が電気接触部５５のボルト孔５６に一致した位置で位置決めされる。なお、直角曲げ螺合端子６９に接続した電線７０は、溝部４９に形成した不図示の挿通穴を介して、本体４３の内部から導出される。
【００１５】
ボルト孔同士の一致した直角曲げ螺合端子６９とヒュージブルリンク５７の電気接触部５５とは、ボルト締め用開口部５９から挿入されるボルト７７により一体に螺着される。なお、直角曲げ螺合端子６９と電気接触部５５との螺着は、電気接触部５５にボルト７７を直接螺合することにより、又はヒュージブルリンク収容空間５１に配設した不図示のナットにボルト７７を螺合することにより行うことができる。
【００１６】
次いで、アンダーカバー６１を本体４３の下面側に取り付けることで、ボルト締め用開口部５９が塞がれ、アッパーカバー７９を本体４３の上面に取り付けることで、本体４３の上面が覆われて電気接続箱４１への直角曲げ螺合端子６９の取付けが完了する。
【００１７】
上述の電気接続箱の端子取付け構造によれば、本体４３の上面に、周壁５３を越えてヒュージブルリンク収容空間５１の内側へ拡がる端子挿入孔６５を穿設したので、直角曲げ螺合端子６９をこの端子挿入孔６５に挿入した時、直角曲げ螺合端子６９の屈曲部６９ａを周壁５３の段部６７に当接させて、上下方向の移動を規制して直角曲げ螺合端子６９を所定位置に保持することができる。
【００１８】
また、ボルト締めスペースを、本体４３の外側壁４５、４７にボルト締め用開口部５９として最小に形成することができるので、図５に示したボルト締めスペースを大きく形成しなければならない従来の構造に比べて、電気接続箱４１の形状を簡素なものにでき、防水性も向上させることができる。
【００１９】
なお、上述の実施形態では、本体４３の上面に溝部４９を形成し、この溝部４９の底面に端子挿入孔６５を穿設したが、本発明の端子取付け構造は、溝部４９を形成せず、本体４３の上面に直接、周壁５３及び端子挿入孔６５を設けるものであってもよい。
【００２０】
【発明の効果】
以上詳細に説明したように、本発明に係る電気接続箱の端子取付け構造は、アンダーカバー、本体、および当該本体の上面に取り付けられるアッパーカバー、を有する電気接続箱の端子取付け構造であって、前記本体の上面に形成された、前記本体の直交する外側壁の面に対して傾斜する溝部と、前記溝部の中央に位置し、且つ前記本体の上面に配設されたヒュージブルリンク収容空間と、前記溝部に立設され、前記本体の上面から突出し、且つ前記ヒュージブルリンク収容空間を囲む周壁と、ボルトによりヒュージブルリンクの電気接触部と直角曲げ螺合端子の電気接触部とを接続するために設けられた、前記本体の直交する外側壁に形成され、且つ前記ヒュージブルリンク収容空間へ連通するボルト締め用開口部と、前記アンダーカバーを前記本体に取り付けた時、前記ボルト締め用開口部を塞ぐために前記アンダーカバーに設けられた一対の塞ぎ壁と、を備え、前記ボルト締め用開口部に連通するとともに、前記周壁を越えて前記ヒュージブルリンク収容空間の内側へ拡がる端子挿入孔を前記周壁の外側の前記溝部の底面に穿設し、前記端子挿入孔における前記周壁の下端にクランク状に屈曲した段部を形成し、そして電線に接続された前記直角曲げ螺合端子の電気接触部を前記端子挿入孔に挿入したので、直角曲げ螺合端子を端子挿入孔に挿入した時、直角曲げ螺合端子の屈曲部を周壁の段部に当接させて、直角曲げ螺合端子を保持することができる。この結果、手による螺合端子の保持が不要となり、端子取付け作業性を向上させることができる。
【図面の簡単な説明】
【図１】本発明に係る電気接続箱の端子取付け構造を示す分解斜視図である。
【図２】端子を挿入した状態の図１のＡ−Ａ断面図である。
【図３】螺合型ヒュージブルリンクの斜視図である。
【図４】従来の端子取付け構造を示す分解斜視図である。
【図５】従来の他の端子取付け構造を示す分解斜視図である。
【符号の説明】
４１  電気接続箱
４５、４７  外側壁
５１  ヒュージブルリンク収容空間
５３  周壁
５５  電気接触部
５９  ボルト締め用開口部
６５  端子挿入孔
６９  直角曲げ螺合端子
【図１】
0003669540.tif 000002
【図２】
0003669540.tif 000003
【図３】
0003669540.tif 000004
【図４】
0003669540.tif 000005
【図５】
0003669540.tif 000006